(57)【要約】      （修正有）【課題】デザイン上、水引を組み合わせる際において機能的に優れた箸置きを提供する。【解決手段】箸５の先端部５ａを上面に載置するための紙類からなるシート体３が、飾り紐を編んで形成した水引２１を有する飾り部の上に取り付けられてなり、そのシート体３は、箸の載置方向に沿って凹ませてなる構成を採用することにより、箸５の先端部５ａがこのシート体３上に接した状態で載置させることが可能となり、異物が付着してしまうのを防止することが可能となる。【選択図】図３
0003154412.tif 000002
【実用新案登録請求の範囲】
【請求項１】
箸の先端部を上面に載置するための紙類からなるシート体が、飾り紐を編んで形成した水引を有する飾り部の上に取り付けられてなること
を特徴とする箸置き。
【請求項２】
上記シート体は、上記箸の載置方向に沿って凹ませてなること
を特徴とする請求項１記載の箸置き。
【考案の詳細な説明】
【技術分野】
【０００１】
本考案は、食事の際に、箸を置くために使用される箸置きに関し、特にデザイン上、水引を組み合わせる際において機能的に優れた箸置きに関する。
【背景技術】
【０００２】
従来から、箸を使って食事をする際には、箸置きが用いられる。この箸置きは、食膳や食卓上に安定的に載置されるように横置形態とされ、更にその上面に箸の先端部が載せられ得る構造とされている。その結果、箸の先端部が食膳や食卓上に直接に触れることなく、衛生的に載置される構成とされている。
【先行技術文献】
【特許文献】
【０００３】
【特許文献１】実開平０７−０３６８４４号公報
【考案の概要】
【考案が解決しようとする課題】
【０００４】
従来から一般に使用される箸置きは、瀬戸物や竹製品からなるものが知られているが（例えば、特許文献１参照。）、特に冠婚葬祭等における宴席では、その行事にちなんだ水引を組み合わせた箸置きを使用したい場合もある。また、冠婚葬祭以外においても、箸置きに高級感を醸し出すために水引を組み合わせたい場合もある。しかしながら、この水引を組み合わせた箸置き自体が未だ提案されていなかった。
【０００５】
そこで、本考案は、上述した問題点に鑑みて案出されたものであり、その目的とするところは、デザイン上、水引を組み合わせる際において機能的に優れた箸置きを提案することにある。
【課題を解決するための手段】
【０００６】
本願請求項１記載の箸置きは、上述した課題を解決するために、箸の先端部を上面に載置するための紙類からなるシート体が、飾り紐を編んで形成した水引を有する飾り部の上に取り付けられてなることを特徴とする。
【０００７】
本願請求項２記載の箸置きは、請求項１記載の考案において、上記シート体は、上記箸の載置方向に沿って凹ませてなることを特徴とする。
【考案の効果】
【０００８】
本考案に係る箸置きは、箸の先端部を上面に載置するための紙類からなるシート体が、飾り紐を編んで形成した水引を有する飾り部の上に取り付けられてなる。このため、本考案によれば、箸の先端部がこのシート体上に接した状態で載置されることにより、箸の先端部に異物が付着してしまうのを防止することが可能となる。またシート体上に箸の先端部を載置することにより、箸が箸置きから落下してしまうのを防止することが可能となり、箸の先端部に付着した食物が食卓に付着してしまうのを防止することが可能となる。
【０００９】
更に本考案では、シート体を箸の載置方向に沿って凹ませることにより、載置方向に向けて載置した箸が箸置きから落下してしまうのをより強固に防止することが可能となり、安定した載置が実現できる。
【図面の簡単な説明】
【００１０】
【図１】本考案を適用した箸置きの全体構成を示す図である。
【図２】本考案を適用した箸置きの正面図である。
【図３】本考案を適用した箸置きに対して実際に箸を載置した状態を示す図である。
【図４】本考案を適用した箸置きの他の構成を示す斜視図である。
【図５】本考案を適用した箸置きに対して実際に箸を載置した状態を示す他の図である。
【考案を実施するための形態】
【００１１】
以下、本考案を適用した箸置きについて、図面を参照しながら詳細に説明をする。
【００１２】
図１(a)は、本考案を適用した箸置き１の全体構成を示す斜視図であり、図１(b)は、その斜視図である。この箸置き１は、飾り部２と、この飾り部２の上に取り付けられたシート体３とを備えている。
【００１３】
飾り部２は、飾り紐を編んで形成した水引２１を有する。飾り部２は、この水引２１に加えて更に装飾体２２が設けられていてもよい。この図１の例において装飾体２２は、和紙について山折り並びに谷折りを順次繰り返して扇子状に構成した例を示している。しかし、この装飾体２２は、扇子状に構成される場合に限定されるものではなく、いかなる形態に具体化されていてもよいし、いかなる材料で構成されていてもよい。
【００１４】
シート体３は、紙類で構成されている。このシート体３としては、例えば厚口の食品紙を使用するようにしてもよい。シート体３の形状、サイズについては、特段の限定は無いが、少なくとも箸の先端部を上面に載置可能な程度の形状、サイズで構成されている必要がある。シート体３は、飾り部２に対して例えば接着剤等を介して接着されていてもよい。
【００１５】
図２は、この箸置き１について箸の載置方向（図１中Ａ方向）から視た場合における正面図を示している。シート体３は、載置方向Ａに沿って凹ませてなるようにしてもよい。
【００１６】
図３は、この箸置き１に対して実際に箸５を載置した状態を示している。箸５の長手方向が載置方向Ａとなるようにして、その先端部５ａをシート体３上に載置する。箸５の先端部５ａがこのシート体３上に接した状態で載置されることにより、箸５の先端部５ａに異物が付着してしまうのを防止することが可能となる。またシート体３上に箸５の先端部５ａを載置することにより、箸５が箸置き１から落下してしまうのを防止することが可能となり、箸５の先端部５ａに付着した食物が食卓に付着してしまうのを防止することが可能となる。
【００１７】
なお、上述したように、シート体３を載置方向Ａに沿って凹ませることにより、載置方向Ａに向けて載置した箸５が箸置き１から落下してしまうのをより強固に防止することが可能となり、安定した載置が実現できる。
【００１８】
ちなみに、この箸置き１では、あくまで飾り部２につき、水引２１の上に装飾体２２を取り付けた構成としているが、これに限定されるものではなく、装飾体２２の上に水引２１を取り付けるようにしてもよい。
【００１９】
図４は、本考案の他の実施形態に係る箸置き２の構成を示す斜視図である。この箸置き２では、飾り部２として、飾り紐を編んで形成した水引２１のみで構成し、装飾体２２の構成を省略している。この箸置き２では、水引２１の直上にシート体３が取り付けられてなる。このシート体３についても同様に載置方向Ａに沿って凹ませてなるようにしてもよい。
【００２０】
図５は、この箸置き２に箸５を載置した状態を示している。この箸置き２の長手方向が載置方向Ａとなるようにして、その先端部５ａをシート体３上に載置する。箸５の先端部５ａがこのシート体３上に接した状態で載置されることにより、箸５の先端部５ａに異物が付着してしまうのを防止することが可能となる。またシート体３上に箸５の先端部５ａを載置することにより、箸５が箸置き２から落下してしまうのを防止することが可能となり、箸５の先端部５ａに付着した食物が食卓に付着してしまうのを防止することが可能となる。
【００２１】
なお、上述したように、シート体３を載置方向Ａに沿って凹ませることにより、載置方向Ａに向けて載置した箸５が箸置き１から落下してしまうのをより強固に防止することが可能となり、安定した載置が実現できる。
【符号の説明】
【００２２】
１、２  箸置き
２  飾り部
３  シート体
２１  水引
２２  装飾体
５  箸
【図１】
0003154412.tif 000003
【図２】
0003154412.tif 000004
【図３】
0003154412.tif 000005
【図４】
0003154412.tif 000006
【図５】
0003154412.tif 000007